(57)【要約】【課題】室内用効能成分供給装置を設置する際の自由度を高める。【解決手段】供給装置１０はメインユニット１５とサブユニット１７とに分けて構成されている。メインユニット１５には、渦輪Ｖ１を発射する空気砲１２が設けられるとともに、空気砲１２に供給する芳香成分を発生する効能気体発生部２０が設けられる。また、メインユニット１５よりも小型に形成されるサブユニット１７には、渦輪Ｖ２を発射する空気砲１３が設けられる。これにより、複数の空気砲１２，１３を備えるステレオ方式の供給装置１０を設置する場合であっても、メインユニット１５とサブユニット１７とを様々な場所に分けて設置することができ、供給装置１０を設置する際の自由度を高めることが可能となる。【選択図】図３
2010022642.tif 000002
【特許請求の範囲】
【請求項１】
効能成分を発生させる成分発生手段と、効能成分を含む第１空気渦を発射する第１発射手段とを備えるメインユニットと、
前記メインユニットよりも小型に形成され、前記第１空気渦と衝突する第２空気渦を発射する第２発射手段を備えるサブユニットとを有することを特徴とする室内用効能成分供給装置。
【請求項２】
請求項１記載の室内用効能成分供給装置において、
前記メインユニットは、前記第１発射手段を備えるとともに、前記成分発生手段として、芳香発生手段、ミスト発生手段、酸素発生手段およびオゾン発生手段のうち少なくともいずれか１つを備え、
前記サブユニットは、前記第２発射手段のみを備えることを特徴とする室内用効能成分供給装置。
【請求項３】
請求項１記載の室内用効能成分供給装置において、
前記メインユニットは、前記第１発射手段を備えるとともに、前記成分発生手段としてミスト発生手段を備え、
前記サブユニットは、前記第２発射手段を備えるとともに、芳香発生手段、酸素発生手段およびオゾン発生手段のうち少なくともいずれか１つを備えることを特徴とする室内用効能成分供給装置。
【請求項４】
請求項１〜３のいずれか１項に記載の室内用効能成分供給装置において、
前記サブユニットは、ディスプレイの縁部に取り付けられることを特徴とする室内用効能成分供給装置。
【発明の詳細な説明】
【技術分野】
【０００１】
本発明は、効能成分を供給する室内用効能成分供給装置に関する。
【背景技術】
【０００２】
室内の環境を良好に保つため、芳香成分や湿気成分等(以下、効能成分という)を室内に供給する供給装置が提案されている。しかしながら、室内に多量の効能成分を充満させてしまうことは、利用者に対して効果的に効能成分を供給するものではなかった。そこで、利用者に向けて発射される渦輪に対して効能成分を含めるようにした供給装置が提案されている(たとえば、特許文献１参照)。この供給装置を用いることにより、効能成分を局所的に供給することができるため、利用者に対して効果的に効能成分を供給することが可能となる。
【特許文献１】特開２００４−８１８５１号公報
【発明の開示】
【発明が解決しようとする課題】
【０００３】
ところで、利用者に対して渦輪を直接当ててしまうと、風圧による違和感を与えてしまうおそれがある。そこで、複数の渦輪を互いに衝突させて消滅させることにより、利用者の違和感を解消することが考えられている。しかしながら、複数の渦輪を互いに衝突させるためには、複数の発射装置を組み込むだけでなく、発射装置の設置間隔を広げる必要がある。このように、複数の渦輪を互いに衝突させるための構造は、供給装置の大型化を招くとともに供給装置を設置する際の自由度を低下させる要因となっていた。例えば、コンピュータ端末を操作する者に対して効能成分を供給する際には、利用者の正面にディスプレイが配置されるとともに、ディスプレイの周囲にも多数の機器が設置されることが一般的であることから、大型の供給装置を設置することは極めて困難となっていた。
【０００４】
本発明の目的は、設置する際の自由度を高めるようにした室内用効能成分供給装置を提供することにある。
【課題を解決するための手段】
【０００５】
本発明の室内用効能成分供給装置は、効能成分を発生させる成分発生手段と、効能成分を含む第１空気渦を発射する第１発射手段とを備えるメインユニットと、前記メインユニットよりも小型に形成され、前記第１空気渦と衝突する第２空気渦を発射する第２発射手段を備えるサブユニットとを有することを特徴とする。
【０００６】
本発明の室内用効能成分供給装置は、前記メインユニットは、前記第１発射手段を備えるとともに、前記成分発生手段として、芳香発生手段、ミスト発生手段、酸素発生手段およびオゾン発生手段のうち少なくともいずれか１つを備え、前記サブユニットは、前記第２発射手段のみを備えることを特徴とする。
【０００７】
本発明の室内用効能成分供給装置は、前記メインユニットは、前記第１発射手段を備えるとともに、前記成分発生手段としてミスト発生手段を備え、前記サブユニットは、前記第２発射手段を備えるとともに、芳香発生手段、酸素発生手段およびオゾン発生手段のうち少なくともいずれか１つを備えることを特徴とする。
【０００８】
本発明の室内用効能成分供給装置は、前記サブユニットは、ディスプレイの縁部に取り付けられることを特徴とする。
【発明の効果】
【０００９】
本発明によれば、室内用効能成分供給装置を、第１発射手段および成分発生手段を備えるメインユニットと、第２発射手段を備えるサブユニットとに分けて構成したので、メインユニットとサブユニットとを様々な場所に分けて設置することができ、設置時の自由度を高めることが可能となる。
【発明を実施するための最良の形態】
【００１０】
以下、本発明の実施の形態を図面に基づいて詳細に説明する。図１は本発明の一実施の形態である室内用効能成分供給装置１０(以下、供給装置という)の利用状況を示す説明図である。また、図２は供給装置１０がディスプレイ１１に取り付けられた状態を示す説明図である。さらに、図３は供給装置１０の構成を示すブロック図であり、図４(Ａ)および(Ｂ)は供給装置１０が備える空気砲１２の内部構造を示す説明図である。
【００１１】
図１に示すように、事務室等で使用されるパーソナルコンピュータ等のディスプレイ１１には、効能成分としての芳香成分を作業者(利用者)Ｗに向けて供給する供給装置１０が取り付けられている。図２に示すように、供給装置１０は、ディスプレイ１１のスタンド１４に取り付けられるメインユニット１５と、ディスプレイ１１の縁部１６に取り付けられるサブユニット１７とを備えている。図１に示すように、メインユニット１５から、空気の渦輪(第１空気渦)Ｖ１が効能領域Ａに向けて発射されており、この渦輪Ｖ１には芳香成分が含まれている。また、サブユニット１７から、空気の渦輪(第２空気渦)Ｖ２が効能領域Ａに向けて発射されている。それぞれの渦輪Ｖ１，Ｖ２は、作業者Ｗの鼻先に設定される効能領域Ａにおいて互いに衝突するように発射されており、渦輪Ｖ１に含まれる芳香成分を効能領域Ａで拡散させることが可能となっている。このように、一対の渦輪Ｖ１，Ｖ２を衝突させて渦輪Ｖ１，Ｖ２を打ち消すことにより、作業者Ｗに対して風圧による違和感を与えることなく芳香成分を供給することが可能となる。
【００１２】
図３に示すように、メインユニット１５には第１発射手段としての空気砲１２が設けられており、この空気砲１２から効能成分を含んだ渦輪Ｖ１が発射されている。図４に示すように、空気砲１２は、伸縮自在となる蛇腹形状のポンプ本体１２ａと、ポンプ本体１２ａを伸縮させるポンプ駆動部１２ｂと、効能成分が充填される円筒形状の砲身部１２ｃとによって構成されている。また、ポンプ駆動部１２ｂには前後進駆動されるロッド部材１２ｄが組み込まれており、このロッド部材１２ｄはポンプ駆動部１２ｂ内の図示しない電動モータによって駆動される。そして、図４(Ａ)に示すように砲身部１２ｃ内に効能成分を充填した後に、図４(Ｂ)に示すようにロッド部材１２ｄを前進移動させてポンプ本体１２ａを急速に縮めることにより、ポンプ本体１２ａ内の空気を砲身部１２ｃ内の効能成分と共に渦輪Ｖ１として発射することが可能となる。
【００１３】
また、図３に示すように、渦輪Ｖ１に衝突させる渦輪Ｖ２を発射するため、サブユニット１７には第２発射手段としての空気砲１３が設けられている。ポンプ本体１３ａ、ポンプ駆動部１３ｂおよび砲身部１３ｃを備える空気砲１３は、前述した空気砲１２と同じ構造を有しているが、空気砲１３の砲身部１３ｃに対して芳香成分が充填されることはなく、空気のみからなる渦輪Ｖ２が空気砲１３から発射されるようになっている。このように、サブユニット１７は空気砲１３のみを備える構成であるため、後述する効能気体発生部２０や制御ユニット２３が組み込まれるメインユニット１５に比べて小型に形成されている。
【００１４】
これらの空気砲１２，１３を駆動して渦輪Ｖ１，Ｖ２を発射させるため、メインユニット１５には双方のポンプ駆動部１２ｂ，１３ｂに接続される駆動回路部１８が設けられている。この駆動回路部１８には後述する制御ユニット２３によって演算された発射信号が入力されており、駆動回路部１８は発射信号に基づいてポンプ駆動部１２ｂ，１３ｂに対する駆動電流を制御している。そして、この駆動電流をポンプ駆動部１２ｂ，１３ｂに供給することにより、それぞれの空気砲１２，１３から渦輪Ｖ１，Ｖ２が発射されるようになっている。
【００１５】
また、空気砲１２に対して芳香成分を供給するため、メインユニット１５には、芳香成分を発生させる効能気体発生部(成分発生手段，芳香発生手段)２０が設けられるとともに、空気砲１２の砲身部１２ｃに芳香成分を送り込む効能気体充填部２１が設けられている。効能気体発生部２０は、芳香成分が貯留される図示しない複数の芳香容器や、芳香容器の開閉状態を制御する図示しない電磁バルブ等によって構成されている。また、効能気体充填部２１は、芳香成分を砲身部１２ｃに向けて圧送する図示しない圧送ポンプ等によって構成されている。そして、後述する制御ユニット２３からの制御信号に応じて、電磁バルブの切換制御や圧送ポンプの駆動制御を実行することにより、空気取入口２２から取り込まれた空気と共に芳香成分が、空気砲１２の砲身部１２ｃに供給されることになる。
【００１６】
駆動回路部１８、効能気体発生部２０、効能気体充填部２１等に対して制御信号を出力する制御ユニット２３は、図示しないマイクロプロセッサ(ＣＰＵ)を備えており、このＣＰＵにはバスラインを介してＲＯＭ、ＲＡＭおよびＩ／Ｏポートが接続される。ＲＯＭには制御プログラムや各種マップデータなどが格納されており、ＲＡＭにはＣＰＵで演算処理したデータが一時的に格納されている。また、メインユニット１５には作業者Ｗに操作されるスイッチ２４が設けられている。このスイッチ３７は、供給装置１０を起動させたり芳香成分を切り換えたりする際に操作されるスイッチとなっている。作業者Ｗのスイッチ操作に応じてスイッチ３７からオンオフ信号や芳香選択信号が出力され、オンオフ信号に従って供給装置１０は起動状態と停止状態とに切り換えられ、芳香選択信号に従って空気砲１２に充填される芳香成分が選択される。
【００１７】
これまで説明したように、供給装置１０に対して、２つの空気砲１２，１３を組み込むだけでなく、効能気体発生部２０や効能気体充填部２１等を組み込むことは、供給装置１０の大型化を招く要因となる。特に、複数の空気砲１２，１３を備えるステレオ方式の供給装置１０にあっては、渦輪Ｖ１，Ｖ２を互いに衝突させるために、空気砲１２と空気砲１３とを離して設置する必要があるため、大型化を招き易い構成となっていた。このような供給装置の大型化を許容してしまうことは、設置位置が限定されることから設置時の自由度を低下させる要因となっていた。
【００１８】
そこで、本発明の供給装置１０においては、空気砲１２を備えるメインユニット１５と、空気砲１３を備えるサブユニット１７とに分けて構成するとともに、メインユニット１５に比べてサブユニット１７の小型化を図るようにしている。これにより、複数の空気砲１２，１３を備えるステレオ方式の供給装置１０を設置する場合であっても、メインユニット１５とサブユニット１７とを様々な場所に分けて設置することが可能となり、供給装置１０を設置する際の自由度を高めることが可能となる。しかも、サブユニット１７の小型化を図るようにしたので、サブユニット１７をディスプレイ１１の縁部１６等に取り付けることができ、設置する際の自由度を飛躍的に高めることが可能となる。
【００１９】
なお、図示する場合には、メインユニット１５をディスプレイ１１のスタンド１４に取り付け、サブユニット１７をディスプレイ１１の縁部１６に取り付けているが、この取付位置に限られることはなく、例えばメインユニット１５とサブユニット１７とを机２５の上に配置することも可能である。また、劇場や映画館等に供給装置１０を設置する場合には、例えば前方の座席にメインユニット１５やサブユニット１７を取り付けることも可能である。
【００２０】
さらに、前述の説明では、効能成分として芳香成分を発生させるようにしているが、これに限られることはなく、効能成分として作業者Ｗに潤いや清涼感を与えるマイクロミスト(湿気成分，空気中に浮遊する微細な水分粒子)を発生させるようにしても良い。また、効能成分として、消臭効果を有するオゾン(Ｏ３)を発生させるようにしても良く、作業者Ｗに対しての覚醒効果を有する酸素を発生させるようにしても良い。つまり、成分発生手段として、超音波振動等により車載タンク等に貯留した水からマイクロミストを発生させるミスト発生手段を設けるようにしても良い。また、成分発生手段として、無声放電等によりオゾンを発生させるオゾン発生手段を設けるようにしても良い。また、成分発生手段として、酸素富化膜等により酸素濃度を高める酸素発生手段を設けるようにしても良い。
【００２１】
続いて、図５は本発明の他の実施の形態である室内用効能成分供給装置３０の構成を示すブロック図である。なお、図３に示す部品と同一の部品については、同一の符号を付してその説明を省略する。
【００２２】
図５に示すように、供給装置３０は、空気砲１２を備えるメインユニット３１と、空気砲１３を備えるサブユニット３２とを有している。メインユニット３１から、効能成分としてのマイクロミストを含んだ渦輪(第１空気渦)Ｖ３が所定の効能領域に向けて発射されている。また、サブユニット３２から、効能成分としての芳香成分を含んだ渦輪(第２空気渦)Ｖ４が所定の効能領域に向けて発射されている。それぞれの渦輪Ｖ３，Ｖ４は、作業者Ｗの鼻先に設定される効能領域において互いに衝突するように発射されており、渦輪Ｖ３，Ｖ４に含まれるマイクロミストや芳香成分を効能領域で拡散させることが可能となっている。このように、一対の渦輪Ｖ３，Ｖ４を衝突させて渦輪Ｖ３，Ｖ４を打ち消すことにより、作業者Ｗに対して風圧による違和感を与えることなくマイクロミストや芳香成分を供給することが可能となる。
【００２３】
メインユニット３１には、マイクロミストを発生させるマイクロミスト発生部(成分発生手段，ミスト発生手段)３３が設けられるとともに、マイクロミストを空気砲１２の砲身部１２ｃに送り込むための図示しない圧送ポンプ等を備えるマイクロミスト充填部３４が設けられている。そして、前述した制御ユニット２３を用いてマイクロミスト発生部３３やマイクロミスト充填部３４を制御することにより、空気砲１２の砲身部１２ｃに対してマイクロミストを供給することが可能となる。
【００２４】
また、サブユニット３２には、芳香成分を発生させる芳香発生部(成分発生手段，芳香発生手段)３５が設けられるとともに、芳香成分を空気砲１３の砲身部１３ｃに送り込むための図示しない圧送ポンプ等を備える芳香充填部３６が設けられている。そして、制御ユニット２３を用いて芳香発生部３５や芳香充填部３６を制御することにより、空気砲１３の砲身部１３ｃに対して芳香成分を供給することが可能となる。このように、マイクロミスト発生部３３よりも小型化を図り易い芳香発生部３５によってサブユニット３２を構成することにより、メインユニット３１よりもサブユニット３２を小型に形成することが可能となる。
【００２５】
このように、本発明の供給装置３０においては、空気砲１２およびマイクロミスト発生部３３を備えるメインユニット３１と、空気砲１３および芳香発生部３５を備えるサブユニット３２とに分けて構成するとともに、メインユニット３１に比べてサブユニット３２の小型化を図るようにしている。これにより、複数の渦輪Ｖ３，Ｖ４を衝突させるとともに、複数の効能成分を供給することが可能なステレオ方式の供給装置３０を設置する場合であっても、メインユニット３１とサブユニット３２とを様々な場所に分けて設置することが可能となり、供給装置３０を設置する際の自由度を高めることが可能となる。しかも、サブユニット３２の小型化を図るようにしたので、サブユニット３２をディスプレイ１１の縁部１６等に取り付けることができ、設置する際の自由度を飛躍的に高めることが可能となる。
【００２６】
また、メインユニット３１に対して、前述した芳香発生手段、オゾン発生手段、酸素発生手段を組み込むことにより、メインユニット３１から芳香成分、オゾン、酸素を含んだ渦輪Ｖ３を発射させても良い。また、サブユニット３２に対して、前述したオゾン発生手段や酸素発生手段を組み込むことにより、サブユニット３２からオゾンや酸素を含んだ渦輪Ｖ４を発射させても良い。なお、状況によっては効能成分を充填することなく、メインユニット３１から空気のみの渦輪Ｖ３を発射させても良く、サブユニット３２から空気のみの渦輪Ｖ４を発射させても良い。
【００２７】
本発明は前記実施の形態に限定されるものではなく、その要旨を逸脱しない範囲で種々変更可能であることはいうまでもない。たとえば、前述の説明では、事務室に供給装置１０，３０を設置しているが、これに限られることはなく、効能成分によるリフレッシュ効果やリラックス効果等が望まれる様々な環境に設置することが可能である。例えば、待合室、会議室、映画館、管制室、教室、家庭等に供給装置１０，３０を設置しても良い。また、航空機や船舶等の客室に供給装置１０，３０を設置することも可能である。さらに、図示する場合には、机２５の上に供給装置１０，３０を設置しているが、この位置に限られることはなく、壁や天井等に供給装置１０，３０を設置しても良いことはいうまでもない。なお、前述の説明では、供給装置１０の利用者として、パーソナルコンピュータを操作する作業者Ｗが挙げられているが、作業者Ｗに限られることはなく、単にディスプレイ映像を鑑賞する鑑賞者であっても良いことはいうまでもない。
【００２８】
また、図示する場合には、電動モータを駆動してロッド部材１２ｄを突出させることにより、空気砲１２，１３から渦輪Ｖ１〜Ｖ４を発射させるようにしているが、この構造に限られることはなく、空気砲１２，１３に電磁コイルと可動鉄心とを組み込むことにより、電磁力を用いて空気砲から渦輪Ｖ１〜Ｖ４を発射させるようにしても良い。また、空気砲１２，１３は蛇腹形状のポンプ本体１２ａ，１３ａを備えているが、ダイアフラムを用いて空気を押し出すようにしても良い。さらに、図示する場合には、空気砲１２，１３から環状の渦輪Ｖ１〜Ｖ４を発射するようにしているが、第１空気渦および第２空気渦の形状としては、環状に限られることはなく、まとまった形状で所定距離を飛ばすことが可能であれば、いかなる形状の空気渦であっても良い。
【００２９】
また、図示する場合には、空気砲１２，１３が固定された構造となっているが、電動モータ等を用いて空気砲１２，１３を回動させるようにしても良い。これにより、渦輪Ｖ１〜Ｖ４を衝突させる効能領域Ａを移動させることができるため、作業者Ｗの位置に応じて適切に効能領域Ａを設定することが可能となる。
【図面の簡単な説明】
【００３０】
【図１】本発明の一実施の形態である室内用効能成分供給装置の利用状況を示す説明図である。
【図２】室内用効能成分供給装置がディスプレイに取り付けられた状態を示す説明図である。
【図３】室内用効能成分供給装置の構成を示すブロック図である。
【図４】(Ａ)および(Ｂ)は室内用効能成分供給装置が備える空気砲の内部構造を示す説明図である。
【図５】本発明の他の実施の形態である室内用効能成分供給装置の構成を示すブロック図である。
【符号の説明】
【００３１】
１０    供給装置(室内用効能成分供給装置)
１１    ディスプレイ
１２    空気砲(第１発射手段)
１３    空気砲(第２発射手段)
１５    メインユニット
１７    サブユニット
２０    効能気体発生部(成分発生手段，芳香発生手段)
３０    供給装置(室内用効能成分供給装置)
３１    メインユニット
３２    サブユニット
３３    マイクロミスト発生部(成分発生手段，ミスト発生手段)
３５    芳香発生部(成分発生手段，芳香発生手段)
Ｖ１    渦輪(第１空気渦)
Ｖ２    渦輪(第２空気渦)
Ｖ３    渦輪(第１空気渦)
Ｖ４    渦輪(第２空気渦)
【図１】
2010022642.tif 000003
【図２】
2010022642.tif 000004
【図３】
2010022642.tif 000005
【図４】
2010022642.tif 000006
【図５】
2010022642.tif 000007